(57)【要約】【課題】十分な液密性と、円滑なズーミング動作を同時に確保できる防水手段を備えたレンズ鏡筒を提供。【解決手段】本レンズ鏡筒における環状の溝部２１１又は１０１は、光軸ＯＡを含む平面で切断した断面において、光軸ＯＡ方向に所定幅に亘って所定深さに穿たれた矩形状をなしており、本レンズ鏡筒における環状の防水部材３１０は、光軸ＯＡを含む平面で切断した断面において、環状の溝部２１１又は１０１における対向部位Ｂ２またはＢ１と上記溝部２１１又は１０１に対向する枠部材側の対向部位Ｂ１又はＢ２とに対し交互に圧接する複数の突起部３１１，３１２，３１３…（４１１，４１２，４１３…）を備えた波形状をなしていることを主たる特徴としている。【選択図】    図５
2005017392.tif 000002
【特許請求の範囲】
【請求項１】
軸心部に光軸を有する第一の枠部材と、この第一の枠部材の外周に同軸的に嵌め込まれ且つ前記光軸に沿って第一の枠部材と相対的に移動可能に設けられた第二の枠部材と、この第二の枠部材と前記第一の枠部材との対向面のいずれか一方に、周方向に沿って形成された環状の溝部と、この環状の溝部の中に同軸的に装着された環状の防水部材とを備え、
前記環状の溝部は、前記光軸を含む平面で切断した断面において、前記光軸方向に所定幅に亘って所定深さに穿たれた矩形状をなし、
前記環状の防水部材は、前記光軸を含む平面で切断した断面において、前記環状の溝部における内底部に形成された対向部位と上記溝部に対向する枠部材側の対向部位とに対し交互に圧接する複数の突起部を備えた形状をなしていることを特徴とするレンズ鏡筒。
【請求項２】
前記防水部材は、前記光軸を含む平面で切断した断面において、前記溝部の幅に相当する幅を有する矩形状部材と、この矩形状部材の一側面の幅方向中央部位に形成され前記両対向部位のいずれか一方に当接する環状の第一の突条と、前記矩形状部材の他側面の幅方向両端部位にそれぞれ形成され前記両対向部位の他方に当接する環状の第二，第三の突条と、を有することを特徴とする請求項１に記載のレンズ鏡筒。
【発明の詳細な説明】
【０００１】
【発明の属する技術分野】
本発明は、カメラにおけるレンズ鏡筒に関し、とくに相対的に移動可能に設けられた第一の枠部材と第二の枠部材との間を防水する手段を備えたレンズ鏡筒に関する。
【０００２】
【従来の技術】
一般に、ズームレンズを備えたカメラにおいては、第一の枠部材と第二の枠部材との相対的移動によりズーミングが行なわれる。相対的移動を行なう第一の枠部材と第二の枠部材との間の隙間から雨滴などが侵入するのを防止するために、第一の枠部材の外周面と第二の枠部材の内周面との間には、通常、何らかの防水手段が施される。このような防水手段として、カム筒の外周面と第一レンズ枠の内周面との間に、シリコンゴム等からなるシール部材を介在させたものが知られている（特許文献１参照）。
【０００３】
【特許文献１】
特開平０５−１７３２４０号公報（段落［００１３］、図５）
【０００４】
【発明が解決しようとする課題】
特許文献１に示されている防水手段を用いれば、第一の枠部材と第二の枠部材との間の隙間から雨滴などが侵入するのを防止できる。しかしながら特許文献１に示されているものでは、シール部材と第一の枠部材または第二の枠部材との間の摩擦抵抗が比較的大きい。このためズーミングの負荷が増大し、ズーム用モーターなどに負担をかけることになる。
【０００５】
本発明は、このような事情に基づいてなされたものであり、その目的は、十分な液密性と、円滑なズーミング動作を同時に確保できる防水手段を備えたレンズ鏡筒を提供することにある。
【０００６】
【課題を解決するための手段】
前記課題を解決し目的を達成するために、本発明のレンズ鏡筒は下記のような特徴ある構成を有している。なお下記以外の特徴ある構成については実施形態の中で明らかにする。
【０００７】
本発明のレンズ鏡筒は、軸心部に光軸を有する第一の枠部材と、この第一の枠部材の外周に同軸的に嵌め込まれ且つ前記光軸に沿って第一の枠部材と相対的に移動可能に設けられた第二の枠部材と、この第二の枠部材と前記第一の枠部材との対向面のいずれか一方に、周方向に沿って形成された環状の溝部と、この環状の溝部の中に同軸的に装着された環状の防水部材とを備え、
前記環状の溝部は、前記光軸を含む平面で切断した断面において、前記光軸方向に所定幅に亘って所定深さに穿たれた矩形状をなし、
前記環状の防水部材は、前記光軸を含む平面で切断した断面において、前記環状の溝部における内底部に形成された対向部位と上記溝部に対向する枠部材側の対向部位とに対し交互に圧接する複数の突起部を備えた波形状をなしていることを特徴とする。
【０００８】
【発明の実施の形態】
（第一実施形態）
図１は本発明の第一実施形態に係るレンズ鏡筒の概略的構成を示す図で、光軸を境として上半部分を切断して示す断面図である。図２は同実施形態に係るレンズ鏡筒の一部の構成を示す分解斜視図、図３は同実施形態に係るレンズ鏡筒の他の一部の構成を示す分解斜視図である。なお図２のＭは図３のＮにつながる。
【０００９】
図１〜図３において、符号１００は軸心部に光軸ＯＡを有する略円筒状の第一の枠部材である。この第一の枠部材１００の中空部内には、１群レンズ１１０、２群レンズ１２０、３群レンズ１３０、４群レンズ１４０が収容されている。１群レンズ１１０は、カム環１５０の回転により移動し、位置制御がなされる。また２群レンズ１２０、３群レンズ１３０、４群レンズ１４０は、カム環１５０の回転により、第一ガイドロッド１６１、第二ガイドロッド１６２（不図示）に沿って移動し、相対的な位置制御がなされる。
【００１０】
なお符号１７０はフィルタ環、１７２は２群レンズ枠、１７３は３群レンズ枠、１７４は４群レンズ枠を示している。また符号１８０は絞り羽根、１８１は絞り駆動枠、１８２は絞り移動枠を示している。
【００１１】
図１〜図３において、符号２００は前記第一の枠部材１００の外周に嵌め込まれた第二の枠部材（固定枠）である。第一の枠部材１００と第二の枠部材２００とは、光軸方向に相対的に移動可能となっている。第一の枠部材１００は、第二の枠部材２００に装着されているズーム環２５０の回転により、光軸方向に移動して所謂ズーミング動作が行なわれる。第一の枠部材１００の外周面と第二の枠部材２００の内周面との間には、例えばゴム製の環状をなす防水部材３１０が介在している。
【００１２】
第二の枠部材２００の前端部（図１において左端部）には、前カバー部材２１０が装着されている。第二の枠部材２００の外周面上には、図１において右方向から距離環２２０、距離表示環２３０、ズーム台環２４０、ズーム環２５０、後カバー部材２６０等が順次嵌め込まれている。上記後カバー部材２６０には、防水機能付き通気手段（２６１，２６２，２６３）が備えられている。第二の枠部材２００の後端部には、上記後カバー部材２６０の外側中央部位に位置する如く、レンズマウント部材２７０がビス止めされている。
【００１３】
第二の枠部材２００の前端部と前カバー部材２１０と距離環２２０との三者接合部位には、Ｏリングからなる第一のシール部材３０１が介在している。距離環２２０と距離表示環２３０との間にはＯリングからなる第二のシール部材３０２が介在している。距離表示環２３０とズーム台環２４０のリング部２４１との間にはＯリングからなる第三のシール部材３０３が介在している。ズーム台環２４０のリング部２４１とズーム環２５０との間にはＯリングからなる第四のシール部材３０４が介在している。ズーム環２５０と後カバー部材２６０との間にはＯリングからなる第五のシール部材３０５が介在している。また後カバー部材２６０とレンズマウント部材２７０との間には、例えばゴム製の環状をなす防水リング３２０が介在している。
【００１４】
なお符号２２１は距離パルス発生用リングである。また符号２３１は距離接片、２３２は目盛り環、２３３は透明部材からなる距離表示窓である。また符号２５１はズーム接片、２５２は接片蓋、２５３はズームゴムリングである。更に符号２６１は通気用の開口部、２６２は撥水シート、２６３は保護カバーであり、これらは前記防水機能付き通気手段を構成している。符号２８０は一般にカンザと呼ばれる厚み寸法調整用のスペーサである。符号２９０はカバー後枠、２９１は防塵部材である。
【００１５】
次に第一の枠部材１００の外周面と第二の枠部材２００の内周面との間に介在している環状の防水部材３１０について詳しく説明する。図４の（ａ）（ｂ）は環状の防水部材３１０の構成を示す図で、（ａ）は正面図、（ｂ）は（ａ）の４ｂ−４ｂ線矢視断面図である。図５は第二の枠部材２００の対向面に、周方向に沿って形成された環状の溝部２１１の中に、環状の防水部材３１０が同軸的に装着された状態を示す断面図である。
【００１６】
環状の溝部２１１は、図５に示すように、光軸ＯＡを含む平面で切断した断面において、光軸ＯＡ方向（図５において左右方向）に所定幅に亘って所定深さに穿たれた矩形状の断面を有している。
【００１７】
環状の防水部材３１０は、図４の（ａ）（ｂ）及び図５に示すように、正面から見ると円環状をなしている。そして光軸ＯＡを含む平面で切断した断面を見ると、前記溝部２１１の幅に相当する幅Ｗを有する矩形状部材３１４を主体としている。この矩形状部材３１４の内外両側面には、前記環状の溝部２１１における内底部に形成された対向部位Ｂ２と、上記溝部２１１に対向する第一の枠部材１００の対向部位Ｂ１に対し、交互に圧接する複数個（本実施形態では３個）の突起部（実際には環状の突条）３１１，３１２，３１３が形成されている。すなわち、矩形状部材３１４の一側面（図中上側面）の幅方向中央部位に、溝部２１１の対向部位Ｂ２に当接する環状の第一の突条３１１が形成されており、矩形状部材３１４の他側面の幅方向両端部位に、第一の枠部材１００の対向部位Ｂ１に当接する環状の第二，第三の突条３１２，３１３が形成されている。
【００１８】
かくして溝部２１１内に装着された防水部材３１０は、溝部２１１の対向部位Ｂ２と第一の枠部材１００の対向部位Ｂ１に対し所定間隔で交互に圧接するものとなる。このため防水部材３１０は圧縮変形し、図５に破線Ｃで示すように矩形状部材３１４が半円弧状に撓む。かくして複数の突条による多重の防水効果を発揮すると共に、第一の枠部材１００の対向部位Ｂ１に接触する部分は、各突条の先端部分に限られるため、第一の枠部材１００と第二の枠部材１００との相対移動時における第一の枠部材１００との間の摩擦抵抗が少ない。このためズーミング動作時の相対的移動が円滑に行なわれ得る。
【００１９】
（第二実施形態）
図６は本発明の第二実施形態の主要部の構成を示す断面図である。本実施形態が第一実施形態と異なる点は、図示の如く第一の枠部材１００側に環状の溝部１０１を形成し、その中に防水部材３１０を装着した点である。このような構成であっても第一実施形態の場合と略同様の作用効果を期待できる。
【００２０】
（実施形態における特徴点）
［１］実施形態に示されたレンズ鏡筒は、
軸心部に光軸ＯＡを有する第一の枠部材１００と、この第一の枠部材１００の外周に同軸的に嵌め込まれ且つ前記光軸に沿って第一の枠部材と相対的に移動可能に設けられた第二の枠部材２００と、この第二の枠部材２００と前記第一の枠部材１００との対向面のいずれか一方に、周方向に沿って形成された環状の溝部２１１又は１０１と、この環状の溝部２１１又は１０１の中に同軸的に装着された環状の防水部材３１０とを備え、
前記環状の溝部２１１又は１０１は、前記光軸ＯＡを含む平面で切断した断面において、前記光軸ＯＡ方向に所定幅に亘って所定深さに穿たれた矩形状をなし、
前記環状の防水部材３１０は、前記光軸ＯＡを含む平面で切断した断面において、前記環状の溝部２１１又は１０１における内底部に形成された対向部位Ｂ２またはＢ１と上記溝部２１１又は１０１に対向する枠部材側の対向部位Ｂ１又はＢ２とに対し交互に圧接する複数の突起部３１１，３１２，３１３…（４１１，４１２，４１３…）を備えた形状をなしていることを特徴とする。
【００２１】
上記レンズ鏡筒においては、環状の防水部材３１０の、複数の突起部（すなわち環状をなす複数の突条）３１１，３１２，３１３…（４１１，４１２，４１３…）が、対向部位Ｂ１及びＢ２に対し交互に圧接するものとなる。このため単一の防水部材３１０でありながら、複数の突条による多重の防水効果が発揮される。従って優れた防水効果が期待できる。又、防水部材３１０が対向部位Ｂ１及びＢ２に接触する部分は、各突条の先端部分に限られる。このため突条を有しない防水部材に比べると、第一の枠部材１００と第二の枠部材１００との相対移動時における防水部材３１０と枠部材との間の摩擦抵抗が少ない。かくしてズーミング動作時の第一の枠部材１００と第二の枠部材２００との相対的移動が円滑に行なわれ得る。
【００２２】
［２］実施形態に示されたレンズ鏡筒は、［１］に記載のレンズ鏡筒であって、
前記防水部材３１０は、前記光軸ＯＡを含む平面で切断した断面において、前記溝部２１１又は１０１の幅に相当する幅Ｗを有する矩形状部材３１４と、この矩形状部材３１４の一側面の幅方向中央部位に形成され前記両対向部位Ｂ１，Ｂ２のいずれか一方に当接する環状の第一の突条３１１と、前記矩形状部材３１４の他側面の幅方向両端部位にそれぞれ形成され前記両対向部位Ｂ１，Ｂ２の他方に当接する環状の第二，第三の突条３１２，３１３とを有することを特徴とする。
【００２３】
上記レンズ鏡筒においては、防水部材３１０の合計三つの突条が、矩形状部材３１４の幅方向中心に対して左右対称に設けられている。このため溝部２１１又は１０１内に装着された矩形状部材３１４は、光軸ＯＡ方向に沿って半円弧状に反リ返った態様を呈する。その結果、防水機能が十分に確保される。しかも第一の枠部材１００と第二の枠部材２００との相対的な移動方向に拘らず、上記防水部材３１０の矩形状部材３１４には、常に一様な応力が加わることになる。このため防水部材３１０の劣化が少なく、長期間の使用に耐え得るものとなる。
【００２４】
（変形例）
実施形態に示されたレンズ鏡筒は、下記の変形例を含んでいる。
【００２５】
・防水部材として、図７の（ａ）に示すように、第一の突条３１１を矩形状部材３１４の内側面に設け、第二，第三の突条３１２，３１３を矩形状部材３１４の外側面に設けた形状をなす防水部材３１０を用いたもの。
【００２６】
・防水部材として、図７の（ｂ）に示すように、部材間の対向部位に対し交互に圧接可能な複数の突状４１１，４１２，４１３，４１４，４１５を有する波形状をなす防水部材４１０を用いたもの。
【００２７】
【発明の効果】
本発明においては、防水部材として、光軸を含む平面で切断した断面において、第一，第二の枠部材の対向部位に対し交互に圧接する複数の突起部を備えた波形状をなす防水部材を用いている。このため複数の環状をなす突条による多重の防水効果が発揮される上、第一，第二の枠部材との摩擦抵抗が小さいものとなる。従って本発明によれば、十分な液密性と、円滑なズーミング動作を同時に確保できる防水手段を備えたレンズ鏡筒を提供できる。
【図面の簡単な説明】
【図１】本発明の第一実施形態に係るレンズ鏡筒の概略的な構成を示す斜視図。
【図２】本発明の第一実施形態に係るレンズ鏡筒の一部の構成を示す分解斜視図。
【図３】本発明の第一実施形態に係るレンズ鏡筒の他の一部の構成を示す分解斜視図。
【図４】本発明の第一実施形態に係るレンズ鏡筒における環状の防水部材の構成を示す図で、（ａ）は正面図、（ｂ）は（ａ）の４ｂ−４ｂ線矢視断面図。
【図５】本発明の第一実施形態に係る環状の溝部の中に環状の防水部材が装着された状態を示す断面図。
【図６】本発明の第二実施形態に係るレンズ鏡筒における要部の構成を示す断面図。
【図７】（ａ）および（ｂ）はそれぞれ防水部材の異なる変形例を示す断面図。
【符号の説明】
ＯＡ  光軸
１００  第一の枠部材
１１０〜１４０  １群レンズ〜４群レンズ
２００  第二の枠部材
２１０  前カバー部材
２４０  ズーム台環
２２０  距離環
２３０  距離表示環
２５０  ズーム環
２６０  後カバー部材
２７０  レンズマウント部材
２８０  厚み寸法調整用のスペーサ（カンザ）
２９０  カバー後枠
３０１〜３０５  第一〜第五のシール部材
３１０  防水部材
３２０  防水リング
【図１】
2005017392.tif 000003
【図２】
2005017392.tif 000004
【図３】
2005017392.tif 000005
【図４】
2005017392.tif 000006
【図５】
2005017392.tif 000007
【図６】
2005017392.tif 000008
【図７】
2005017392.tif 000009